(57)【特許請求の範囲】
【請求項１】
食器類を収納するカゴを有するとともに前記カゴに収納された前記食器類を洗浄する洗浄槽と、前記カゴに設けられている第１及び第２の棒状部材と、前記第１の棒状部材に傾動自在に軸支される第１の係合部を有する小物入れと、を備え、前記小物入れは、前記第２の棒状部材に係合する凹部が複数設けられている第２の係合部を有している食器洗い機。
【請求項２】
前記第２の係合部は、前記第１の棒状部材と略同心の略円弧状に形成されている請求項１に記載の食器洗い機。
【請求項３】
前記第２の係合部の複数の前記凹部は、略階段状に設けられる請求項２に記載の食器洗い機。
【請求項４】
前記第２の係合部を前記第１の係合部より後方に設けた請求項２又は３に記載の食器洗い機。
【発明の詳細な説明】
【技術分野】
【０００１】
本発明は、カゴにセットした食器類などの被洗浄物に洗浄水を噴射して洗浄する食器洗い機に関するものである。
【背景技術】
【０００２】
従来の一般的な食器洗い機は、図３、４に示すように構成されていた（例えば、特許文献１参照）。以下、その構成について説明する。
【０００３】
図３に示すように、従来の食器洗い機は、前面に開口部１ａをもつ洗浄槽１と、開口部１ａを開閉する扉２と、洗浄槽１の底部中央に設けられ洗浄水を噴射するノズル３と、洗浄槽１内に配され食器類１０がセットされる上段カゴ４と下段カゴ５などから構成されている。扉２を開けているときには、下段カゴ５は、扉２と洗浄槽１との間を前後方向に引き出し移動可能である。上段カゴ４は、前後方向に移動可能な洗浄槽１内の壁面に設けられたレール部６によって、支持されている。
【０００４】
また、下段カゴ４上の中央付近には、スプーン、フォーク、箸等のカトラリーの小物を入れる小物入れ７が固定して設けられ、洗浄槽１の底部には洗浄水を加熱するヒータ８が、洗浄槽１の下部の外側には、洗浄ポンプ９がそれぞれ設けられている。洗浄槽１内の下部には排水口１２が設けられている。
【０００５】
また、図４は、小物入れ７を下段カゴ５にセットした状態を示す図で、小物入れ７は、棒状の線材で構成された下段カゴ５の上に置かれ、その両端が、棒状の線材１３で固定されている。
【０００６】
次に、上記従来の食器洗い機の動作について説明する。先ず、扉２を開いて扉２上に下段カゴ５を引き出して食器類１０と小物入れ７に小物類１１をセットする動作と、上段カゴ４を前方に引き出して食器類１０をセットする動作を行う。そして、洗浄槽１内の洗浄水は、ヒータ８によって温水化され、洗浄ポンプ９にて洗浄槽１内の排水口１２から吸い込まれ、ノズル３に圧送され、ノズル３から勢いよく噴射される。なお、ノズル３は回転しながら、洗浄水を噴射する。このようにして、上段カゴ４、下段カゴ５にセットされた食器類１０、小物入れ７にセットされた小物類１１が洗浄される。
【特許文献１】特開２００４−３２１２８３号公報
【発明の開示】
【発明が解決しようとする課題】
【０００７】
しかしながら、上記従来の食器洗い機の構成では、前面から小物類１１を小物入れ７にセットするため、しかも、小物入れ７の上部に上段カゴ４があるために、セット時、上段カゴ４に使用者の手が当たったりして、小物入れ７の奥側はセットし難いという課題があった。
【０００８】
また、食器類１０を下段カゴ５にセットした後に、小物類１１を追加セットしようとすると、小物入れ７の周囲に、既に食器類１０がセットされているので、周囲の食器類１０が邪魔になって、小物類１１の追加セットが困難になるという課題があった。
【０００９】
本発明は上記従来の課題を解決するもので、小物入れへの小物類のセットをし易くした食器洗い機を提供することを目的としている。
【課題を解決するための手段】
【００１０】
上記従来の課題を解決するために、本発明の食器洗い機は、食器類を収納するカゴを有するとともに前記カゴに収納された前記食器類を洗浄する洗浄槽と、前記カゴに設けられている第１及び第２の棒状部材と、前記第１の棒状部材に傾動自在に軸支される第１の係合部を有する小物入れと、を備え、前記小物入れは、前記第２の棒状部材に係合する凹部が複数設けられている第２の係合部を有しているもので、使用者が小物入れに小物類をセットしようとするとき、小物入れを斜めに倒すことで、小物入れの内部が見やすくなり、小物類のセット性が向上するものである。また、小物入れの傾動中心を小物入れの下部前部に位置させておけば、食器類をカゴにセットした後に、小物類を追加してセットしようとする場合でも、小物入れを前方に傾動させたときに、小物入れの位置が高くなり、周りの食器類に影響されることなく容易に小物をセットすることができる。
【発明の効果】
【００１１】
本発明の食器洗い機は、使用者が小物入れに小物類をセットしようとするとき、小物入れの内部を使用者に見やすいように、小物入れを傾動させることができるので、小物類のセット性が大幅に向上するものである。
【発明を実施するための最良の形態】
【００１２】
第１の発明は、食器類を収納するカゴを有するとともに前記カゴに収納された前記食器類を洗浄する洗浄槽と、前記カゴに設けられている第１及び第２の棒状部材と、前記第１の棒状部材に傾動自在に軸支される第１の係合部を有する小物入れと、を備え、前記小物入れは、前記第２の棒状部材に係合する凹部が複数設けられている第２の係合部を有しているもので、使用者が小物入れに小物類をセットしようとするとき、小物入れを斜めに倒すことで、小物入れの内部が見やすくなり、小物類のセット性が向上するものである。また、小物入れの傾動中心を小物入れの下部前部に位置させておけば、食器類をカゴにセットした後に、小物類を追加してセットしようとする場合でも、小物入れを前方に傾動させたときに、小物入れの位置が高くなり、周りの食器類に影響されることなく容易に小物をセットすることができる。
【００１３】
第２の発明は、特に、第１の発明の第２の係合部は、第１の棒状部材と略同心の略円弧状に形成されているもので、簡単な構成で、小物入れの傾動時に、第２の棒状部材と第２の係合部が接触することにより、小物入れの傾動終点を使用者に、容易に解らせることができるものである。
【００１４】
第３の発明は、特に、第２の発明において、第２の係合部の複数の凹部は、略階段状に設けられるもので、凹部にカゴに設けた第２の棒状部材を係合させることで、任意の位置で小物入れの傾きを止められるので、斜めになっている小物入れの姿勢の安定化を図ることができる。
【００１５】
第４の発明は、特に、第２又は第３の発明の第２の係合部を第１の係合部より後方に設けたもので、小物入れを前側に傾動させたときに、前側が低く、後ろ側が高くなり、使用者が、小物類を小物入れにセットするとき、小物入れの内部が見やすくなり、小物入れへの小物類のセットがしやすくなるものである。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における食器洗い機の側断面図、図２は、同食器洗い機の小物入れの側面図及び部分拡大図である。尚、上記従来の食器洗い機と同一部分については、同一符号を付してその説明を省略する。
【００１８】
図１、２において、本実施の形態における食器洗い機は、前方に開口部１ａを有する洗浄槽１を内蔵し、その洗浄槽１は、棒状の線材で構成された下段カゴ１５と、下段カゴ１５上に配設された小物入れ１６を備えている。下段カゴ１５上には、いずれも棒状の線材からなる第１の棒状部材２０と、第２の棒状部材２１が設けられている。
【００１９】
小物入れ１６は、下部前部に位置し第１の棒状部材２０に傾動自在に軸支される第１の係合部１７と、第１の係合部１７と反対側に位置し、第１の棒状部材２０と略同心の略円弧状の第２の係合部１９を有し、さらに第２の係合部１９は、第２の棒状部材２１と係合する複数の階段状の凹部１８を形成している。
【００２０】
また、第１の棒状部材２０と複数の凹部１８との距離と、第１の棒状部材２０と第２の棒状部材２１との距離が同じになるように設けている。また、第１の係合部１７は洗浄槽１の前方に、第２の係合部１９は洗浄槽１の後方に位置するように構成している。
【００２１】
なお、本実施の形態における第１の係合部１７と第２の係合部１９のそれぞれは、図２に示すように開口部を持つが、開口部は無くてもよい。また、第１、第２の係合部１７、１９の穴部は左右に溝部があれば、貫通していても、貫通していなくてもよい。また、本実施の形態では、第１、第２の棒状部材２０、２１として、棒状の線材を用いて構成したが、棒状部材を樹脂で形成しても同じ効果が得られる。
【００２２】
次に、上記のように構成された食器洗い機の下段カゴ１５の動作について説明する。
【００２３】
小物入れ１６に小物類１１を入れる場合、第１の棒状部材２０を傾動軸として、小物入れ１６を前側に傾動させると、第２の棒状部材２１がたわみ、略円弧上の第２の係合部１９に設けた任意の凹部１８に、第２の棒状部材２１がきたとき、たわみが戻る。この時に、姿勢が安定して、小物入れ１６が傾いた状態でとまる。よって、小物入れ１６の角度が変わり、任意の傾斜を持たせることができる。
【００２４】
また、図２に示すように、第２の係合部１９の略円弧状の端を閉じておけば、それ以上の傾動ができず、使用者は傾動の終点を容易に知ることができる。
【００２５】
以上のように、本実施の形態によれば、簡単な構成で、小物入れ１６の傾動時、第２の棒状部材２１と第２の係合部１９が接触することにより、小物入れ１６の傾動時の終点を使用者に解らせることができ、任意の位置での傾動のストッパーになり、傾動して斜めになっている小物入れ１６の姿勢を安定させることができる。
【００２６】
また、前方に開口部１ａを有する洗浄槽１において、下段カゴ１５の第１の棒状部材２０を傾動軸として、小物入れ１６を上下方向に傾動自在に構成することにより、小物入れ１６の傾動時の斜めの姿勢が洗浄槽１の前方が低く、洗浄槽１の後方が高くなるように構成できるので、使用者が小物入れ１６に小物類１１をセットしようとするとき、小物入れ１６を、前方に傾斜させることにより、小物入れの１６の内部が使用者に見やすくなる。よって、小物類１１のセット性が向上するものである。また、食器類１０を上段、下段カゴ４、１５にセットした後に、小物類１１を追加してセットしようとする場合でも、小物入れ１６を上下方向に傾動することにより、小物入れ１６の位置が高くなるので、周りの食器類１０に影響されることなくセットできるものである。
【００２７】
以上のように、本実施の形態によれば、小物入れ１６への小物類１１のセットが極めて容易になるものである。
【産業上の利用可能性】
【００２８】
以上のように、本発明に係る食器洗い機は、安価な構成で、食器類、小物類等のセット性に優れたもので、家庭用、業務用の各種食器洗い機に広く適用できるものである。
【図面の簡単な説明】
【００２９】
【図１】本発明の実施の形態１における食器洗い機の側断面図
【図２】（ａ）同食器洗い機の小物入れの側面図（ｂ）同小物入れの要部拡大図
【図３】従来の食器洗い機の側断面図
【図４】同食器洗い機の正面図
【符号の説明】
【００３０】
１  洗浄槽
１０  食器類
１１  小物類
１５  下段カゴ
１６  小物入れ
１７  第１の係合部
１８  凹部
１９  第２の係合部
２０  第１の棒状部材
２１  第２の棒状部材
【図１】
0004501846.tif 000002
【図２】
0004501846.tif 000003
【図３】
0004501846.tif 000004
【図４】
0004501846.tif 000005